(57)【要約】  衣類の退色を防止する通知機能を備えた洗濯機は、洗濯水を収容する外槽（２）を含む。洗濯機に洗濯水の色を測定する色センサ（５）を設け、これにより洗濯過程における洗濯水の色の変化に基づき、洗濯衣類が退色しているかどうかを判断する。洗濯水の色を測定することにより、洗濯水の色の変化状況に基づいて、洗濯衣類が退色しているかどうかを判断する目的を実現する。判断の感度および正確性を高め、退色した衣類が洗濯水を汚染した後、さらにその他の洗濯衣類が二次汚染されるのを防止する。【選択図】図１
2017527358.tif 000002
【特許請求の範囲】
【請求項１】
洗濯水を収容する外槽を含む、衣類の退色を防止する通知機能を備えた洗濯機であって、洗濯機に洗濯水の色を測定する色センサを設け、これにより洗濯過程における洗濯水の色の変化に基づき、洗濯衣類が退色しているかどうかを判断することを特徴とする洗濯機。
【請求項２】
洗濯機に、白色測定光を発し、色センサと組み合わさるＬＥＤライトが設けられ；ＬＥＤライトが発する白色測定光は、洗濯水を通過した後、色センサに伝わり、色センサが、受光した測定光の光色に基づいて、洗濯水の色を得ることを特徴とする、請求項１に記載の洗濯機。
【請求項３】
外槽の底部に、外槽と通じ、洗濯水を流入させるサンプリング装置が設けられ、サンプリング装置の両側壁に、ＬＥＤライトおよび色センサがそれぞれ設けられ、ＬＥＤライトが発する白色測定光は、サンプリング装置中の洗濯水を通過した後、色センサに伝わり、色センサが、受光した測定光の光色に基づいて、洗濯水の色を得ることを特徴とする、請求項１または２に記載の洗濯機。
【請求項４】
前記サンプリング装置が洗濯機の排水管または循環管に設けられ、さらに排水管または循環管の開閉を制御する制御装置の上流に設けられ、外槽中の洗濯水は、サンプリング装置を介して洗濯機外部または洗濯機の取水口部分に制御可能に流れることを特徴とする、請求項３に記載の洗濯機。
【請求項５】
前記サンプリング装置が、一定の洗濯水を収容する空洞を構成する筐体を含み、筐体の上端に外槽と通じる取水口が設けられ、筐体の下端が接続管路を介して洗濯機の排水管または循環管と通じ、接続管路に管路の開閉を制御する制御装置が設けられることを特徴とする、請求項３に記載の洗濯機。
【請求項６】
サンプリング装置の筐体の左右側壁に、相対して取り付けるＬＥＤライトおよび色センサをそれぞれ設けて、サンプリング装置の筐体内における洗濯水の色を測定し；
筐体におけるＬＥＤライトと対応する部分と、筐体における色センサと対応する部分とは、それぞれ透光板からなる透明部であることを特徴とする、請求項５に記載の洗濯機。
【請求項７】
ＬＥＤライトの外周に碗状を呈する反射板を設けて、ＬＥＤライトが発する発散白色光を、受光素子に向かって放射される平行光に反射させ；前記色センサと、対応する側の透光板との間に凸レンズを設け、洗濯水を通過する平行測定光を集光して色センサに照射させることを特徴とする、請求項６に記載の洗濯機。
【請求項８】
色センサの外周に、光を通さない材質からなる遮光カバーが設けられ；
好ましくは、前記遮光カバーが、対応する側の透光板と受光素子を収容する密閉空洞を構成し；
さらに好ましくは、サンプリング装置の筐体は、光を通さない材質で遮光部が構成されることを特徴とする、請求項７に記載の洗濯機。
【請求項９】
前記色センサが、測定素子と、赤、緑、青の３色をそれぞれ透過させることができる光学フィルタとを含み、洗濯水中に含まれる赤色の色値Ｒ、緑色の色値Ｇ、青色の色値Ｂが得られることを特徴とする、請求項１〜８のいずれか１項に記載の洗濯機。
【請求項１０】
各光学フィルタがいずれも、測定光の照射に対する測定素子の一側に設けられ、赤フィルタ、緑フィルタおよび青フィルタがそれぞれ異なる領域に設けられ、これにより測定素子が透過後の赤色、緑色および青色のみを含有する測定光をそれぞれ受光することができることを特徴とする、請求項９に記載の洗濯機。
【請求項１１】
洗濯機が衣類を洗濯する過程で、洗濯機中の洗濯水の色値を測定し、洗濯水の色値の変化率が設定値より大きいと、衣類が退色する警報信号を発することを特徴とする、洗濯機における衣類の退色を防止する通知方法。
【請求項１２】
洗濯機の洗濯過程において、一定時間ｔごとに１回、洗濯機外槽中の洗濯水の色を測定し、洗濯水の色値を得ることを特徴とする、請求項１１に記載の洗濯機における衣類の退色を防止する通知方法。
【請求項１３】
洗濯機の洗濯過程において、一定時間ｔごとに、洗濯機外槽中の少量の洗濯水を流出させ、流出させた部分の洗濯水の色を測定し、このときの洗濯水の色値を得ることを特徴とする、請求項１１に記載の洗濯機における衣類の退色を防止する通知方法。
【請求項１４】
一定時間ｔごとに１回、洗濯機外槽と通じるサンプリング装置中の洗濯水を一新し、サンプリング装置部分に設けられるＬＥＤライトおよび色センサを利用して、一新した後の洗濯水の色値を測定し；
好ましくは、一定時間ｔごとに、サンプリング装置の出水口部分の制御装置を一定時間ｔ１作動させて、サンプリング装置中の洗濯水を排出し、外槽中の洗濯水をサンプリング装置の取水口から流入させて、サンプリング装置中の洗濯水を一新することを特徴とする、請求項１３に記載の洗濯機における衣類の退色を防止する通知方法。
【請求項１５】
請求項１１〜１４のいずれか１項に記載の洗濯機における衣類の退色を防止する通知方法であって、
１）洗濯水の色値の変化率を設定値と比較し、変化率が設定値より小さい場合、工程４）を実行し；変化率が設定値以上である場合、工程２）を実行する；
２）洗濯機がユーザに衣類の退色を通知して、洗濯を停止し、工程３）を実行する；
３）ユーザが洗濯を続けて実行するかどうかを判断し、続ける場合、工程４）を実行し：そうでない場合、工程５）を実行する；
４）洗濯機が洗濯プログラムを続けて実行し；一定時間ｔ後、工程１）を実行し、洗濯プログラムが工程５）を完了するまで続ける；
５）洗濯機が排水、脱水プログラムを順番に実行し、脱水完了後、洗濯機の電源を切る、ことを特徴とする方法。
【請求項１６】
制御装置が停止すると、サンプリング装置部分のＬＥＤライトおよび色センサを作動させ、一新した後の洗濯水の色値を測定し；
測定完了後、ＬＥＤライトおよび色センサを停止することを特徴とする、請求項１５に記載の洗濯機における衣類の退色を防止する通知方法。
【請求項１７】
色を判断する具体的な過程が以下の通りであり、ＬＥＤライトが白色測定光を発し；白色測定光はサンプリング装置中の洗濯水に照射され；測定光は洗濯水を通過すると、色が変化し；色センサが洗濯水を通過した測定光を受光し、測定光の色に基づいて、洗濯水の色を得；
好ましくは、前記色センサは、洗濯水を通過した後の、色が変化した測定光を、赤緑青の３色の光学フィルタそれぞれを通過させることにより、それぞれ洗濯水中に含まれる赤色の色値Ｒ、緑色の色値Ｇ、青色の色値Ｂを得ることを特徴とする、請求項１６に記載の洗濯機における衣類の退色を防止する通知方法。
【請求項１８】
請求項１１〜１７のいずれか１項に記載の洗濯機における衣類の退色を防止する通知方法であって、
１１）一定時間ｔごとに、洗濯水中に含まれる赤色の色値Ｒ、緑色の色値Ｇ、青色の色値Ｂをそれぞれ測定する；
１２）当該回に測定した色値Ｒｎ、Ｇｎ、Ｂｎから、それぞれ前回に測定した色値Ｒｎ−１、Ｇｎ−１、Ｂｎ−１を引き、ΔＲｎ＝｜Ｒｎ−Ｒｎ−１｜、ΔＧｎ＝｜Ｇｎ−Ｇｎ−１｜、ΔＢｎ＝｜Ｂｎ−Ｂｎ−１｜を得る；
１３）得られた色の変化値ΔＲｎ、ΔＧｎ、ΔＢｎを、それぞれ対応する設定値ΔＲ’、ΔＧ’、ΔＢ’と比較し、
ΔＲｎ＞ΔＲ’および／またはΔＧｎ＞ΔＧ’および／またはΔＢｎ＞ΔＢ’の場合、洗濯機が退色警報信号を発して、洗濯を停止し；そうでない場合、洗濯機は洗濯プログラムを正常に実行することを特徴とする方法。
【請求項１９】
請求項１１〜１７のいずれか１項に記載の洗濯機における衣類の退色を防止する通知方法であって、
２１）洗濯機の取水過程、または取水が終了して、洗濯する前に、まず洗濯水の色を測定し、洗濯水中に含まれる赤色、緑色、青色の初期色値Ｒ０、Ｇ０、Ｂ０を得る；
２２）洗濯過程で、一定時間ｔごとに、洗濯水中に含まれる赤色の色値Ｒ、緑色の色値Ｇ、青色の色値Ｂをそれぞれ測定する；
２３）当該回に測定した色値Ｒｎ、Ｇｎ、Ｂｎから、それぞれ洗濯前の初期色値Ｒ０、Ｇ０、Ｂ０を引き、ΔＲｎ＝｜Ｒｎ−Ｒ０｜、ΔＧｎ＝｜Ｇｎ−Ｇ０｜、ΔＢｎ＝｜Ｂｎ−Ｂ０｜を得る；
２４）得られた色の変化値ΔＲｎ、ΔＧｎ、ΔＢｎを、それぞれ対応する設定値ΔＲ’、ΔＧ’、ΔＢ’と比較し、
ΔＲｎ＞ΔＲ’および／またはΔＧｎ＞ΔＧ’および／またはΔＢｎ＞ΔＢ’の場合、洗濯機は退色警報信号を発して、洗濯を停止し；そうでない場合、洗濯機は洗濯プログラムを正常に実行することを特徴とする方法。
【請求項２０】
ΔＲｎ＞ΔＲ’の場合、洗濯機は赤色の洗濯衣類が退色する警報信号を発し；ΔＧｎ＞ΔＧ’の場合、洗濯機は緑色の洗濯衣類が退色する警報信号を発し；ΔＢｎ＞ΔＢ’の場合、洗濯機は青色の洗濯衣類が退色する警報信号を発することを特徴とする、請求項１８または１９に記載の洗濯機における衣類の退色を防止する通知方法。
【発明の詳細な説明】
【技術分野】
【０００１】
本発明は洗濯機分野に関し、特に衣類の退色を防止する通知機能を備えた洗濯機に関し、さらに洗濯機における衣類の退色を防止する通知方法に関する。
【背景技術】
【０００２】
センサ技術の発展に伴い、洗濯機には益々多くのセンサが用いられており、洗濯機は次第にスマート化している。例えば、既存の洗濯機に濁度センサ、温度センサ、洗濯機計量モジュールなどを追加する。これらのセンサにより、洗濯機は洗濯環境に対して一定の感応を有し、これにより洗濯機はスマート化し始めている。
【０００３】
しかし、既存の洗濯機は衣類の色を識別することができず、色物衣類を洗濯機に入れると、洗濯の進行に伴って、衣類の色が退色する現象が生じる。これを測定する相応の測定装置を有さない場合、退色する現象は続けて生じ、衣類のダメージの程度が大きくなり、最終的に衣類に取り返しのつかないダメージとなる。このように、ユーザが大切な衣類を失うだけでなく、ユーザが洗濯機に対して不満を感じる可能性があり、該ブランドの洗濯機に対して悪いイメージを持つ。
【０００４】
既存の洗濯機において、衣類が退色する現象に対して事前に警報を発し、さらに測定を行うため、既存の文献にはいくつかの改良案が示されている。例えば、中国特許出願番号第２００７８００２５０２７．４号の発明特許において、該案は洗濯機を提供している。これは洗濯槽の衣類投入口部分に色センサを取り付けることにより、洗濯物の投入過程で、色センサが衣類の色を測定する。制御装置が、衣類の色データに基づいて洗濯パラメータを確定し、その後、洗濯機は確定した洗濯パラメータに基づいて、衣類を洗濯する。
【０００５】
しかし、上記案は、衣類の色に基づき、区別して洗濯しており、異なる色の衣類間で、洗濯過程に退色が生じ、衣類が汚染される状況が生じないことを保証するに過ぎない。上記方式を採用すると、異なる色の、色落ちしにくい衣類を同時に洗濯するとき、洗濯機は間違った退色警報を発することがあり、ユーザは判断を誤り、洗濯プログラムの正常な進行に影響を及ぼす。
【０００６】
このことを考慮して、特に本発明を示す。
【先行技術文献】
【特許文献】
【０００７】
【特許文献１】中国特許出願番号第２００７８００２５０２７．４号
【発明の概要】
【発明が解決しようとする課題および課題を解決するための手段】
【０００８】
本発明の目的は、衣類の退色を防止する通知機能を備えた洗濯機を提供することであり、これにより衣類の退色を測定することを実現する。
【０００９】
発明の目的を実現するため、以下の技術案を採用する。
衣類の退色を防止する通知機能を備えた洗濯機は、洗濯水を収容する外槽を含む。洗濯機に洗濯水の色を測定する色センサを設け、これにより洗濯過程における洗濯水の色の変化に基づき、洗濯衣類が退色しているかどうかを判断する。
【００１０】
さらに、洗濯機に、白色測定光を発し、色センサと組み合わさるＬＥＤライトが設けられる。ＬＥＤライトが発する白色測定光は、洗濯水を通過した後、色センサに伝わり、色センサは受光した測定光の光色に基づいて、洗濯水の色を得る。
【００１１】
さらに、外槽の底部に、外槽と通じ、洗濯水を流入させるサンプリング装置が設けられ、サンプリング装置の両側壁に、ＬＥＤライトおよび色センサがそれぞれ設けられる。ＬＥＤライトが発する白色測定光は、サンプリング装置中の洗濯水を通過した後、色センサに伝わり、色センサは、受光した測定光の光色に基づいて、洗濯水の色を得る。
【００１２】
さらに、前記サンプリング装置は洗濯機の排水管または循環管に設けられ、さらに排水管または循環管の開閉を制御する制御装置の上流に設けられる。外槽中の洗濯水は、サンプリング装置を介して洗濯機外部または洗濯機の取水口部分に制御可能に流される。
【００１３】
さらに、接続管路は排水管を介して洗濯機外部と通じるか、または循環管を介して洗濯機の取水口と通じる。
【００１４】
さらに、前記サンプリング装置は、一定の洗濯水を収容する空洞を構成する筐体を含む。筐体の上端に外槽と通じる取水口が設けられ、筐体の下端は接続管路を介して洗濯機の排水管または循環管と通じる。接続管路に、管路の開閉を制御する制御装置が設けられる。
【００１５】
さらに、サンプリング装置の筐体の左右両壁に、相対して取り付けるＬＥＤライトおよび色センサをそれぞれ設けて、サンプリング装置の筐体内における洗濯水の色を測定する。筐体におけるＬＥＤライトと対応する部分と、筐体における色センサと対応する部分とは、それぞれ透光板からなる透明部である。
【００１６】
さらに、ＬＥＤライトの外周に碗状を呈する反射板を設けて、ＬＥＤライトが発する発散白色光を、受光素子に向かって放射される平行光に反射させる。前記色センサと、対応する側の透光板との間に凸レンズを設け、洗濯水を通過する平行測定光を集光して色センサに照射させる。
【００１７】
さらに、色センサの外周に、光を通さない材質からなる遮光カバーが設けられる。好ましくは、前記遮光カバーは、対応する側の透光板と受光素子を収容する密閉空洞を構成する。さらに好ましくは、サンプリング装置の筐体は、光を通さない材質で遮光部が構成される。
【００１８】
さらに、前記色センサは、測定素子と、赤、緑、青の３色をそれぞれ透過させることができる光学フィルタとを含み、洗濯水中に含まれる赤色の色値Ｒ、緑色の色値Ｇ、青色の色値Ｂが得られる。
【００１９】
さらに、各光学フィルタはいずれも、測定光の照射に対する測定素子の一側に設けられ、赤フィルタ、緑フィルタおよび青フィルタはそれぞれ異なる領域に設けられる。これにより測定素子は透過後の赤色、緑色および青色のみを含有する測定光をそれぞれ受光することができる。
【００２０】
上記装置により、本発明は既存技術、例えば中国特許出願番号第２００７８００２５０２７．４号の発明特許に記載の文献とは異なる別の視点から考慮し、衣類の退色を測定することを実現する。
【００２１】
洗濯機外槽の底部に洗濯水サンプリング装置を１つ取り付け、一定時間ごとに洗濯水をサンプリングする。１つの白色ＬＥＤライトがサンプリング装置を照射し、色センサがサンプリング装置を通過した光線を受光した後、得られた値を洗濯機のプロセッサに送信する。プロセッサが測定値を予め設定した設定値と比較し、衣類に退色が生じているかどうかを判断する目的を実現する。これにより、洗濯衣類が退色する状況に対して、速やかに事前に警報することを実現し、衣類の退色を迅速、敏感に判断する目的を達成した。
【００２２】
本発明のもう１つの目的は、洗濯機における衣類の退色を防止する通知方法を提供することであり、これにより洗濯機は衣類が退色する状況を迅速、正確に判断する。発明の目的を実現するため、以下の技術案を採用する。
【００２３】
洗濯機における衣類の退色を防止する通知方法において、洗濯機は衣類を洗濯する過程で、洗濯機中の洗濯水の色値を測定する。洗濯水の色値の変化率が設定値より大きいと、衣類が退色する警報信号を発する。
【００２４】
さらに、洗濯機の洗濯過程において、一定時間ｔごとに１回、洗濯機外槽中の洗濯水の色を測定し、洗濯水の色値を得る。
【００２５】
さらに、洗濯機の洗濯過程において、一定時間ｔごとに、洗濯機外槽中の少量の洗濯水を流出させ、流出させた部分の洗濯水の色を測定し、このときの洗濯水の色値を得る。
【００２６】
さらに、一定時間ｔごとに１回、洗濯機外槽と通じるサンプリング装置中の洗濯水を一新し、サンプリング装置部分に設けられるＬＥＤライトおよび色センサを利用して、一新した後の洗濯水の色値を測定する。
【００２７】
さらに、一定時間ｔごとに、サンプリング装置の出水口部分の制御装置を一定時間ｔ１作動させて、サンプリング装置中の洗濯水を排出し、外槽中の洗濯水をサンプリング装置の取水口から流入させて、サンプリング装置中の洗濯水を一新する。
【００２８】
さらに、洗濯機の洗濯過程における具体的な制御工程は以下の通りである。
１）洗濯水の色値の変化率を設定値と比較し、変化率が設定値より小さい場合、工程４）を実行する。変化率が設定値以上の場合、工程２）を実行する。
２）洗濯機がユーザに衣類の退色を通知して、洗濯を停止し、工程３）を実行する。
３）ユーザは洗濯を続けて実行するかどうかを判断し、続ける場合、工程４）を実行する。そうでない場合、工程５）を実行する。
４）洗濯機は洗濯プログラムを続けて実行する。一定時間ｔ後、工程１）を実行し、洗濯プログラムが工程５）を完了するまで続ける。
５）洗濯機が排水、脱水プログラムを順番に実行し、脱水完了後、洗濯機の電源を切る。
【００２９】
さらに、制御装置が停止すると、サンプリング装置部分のＬＥＤライトおよび色センサを作動させ、一新した後の洗濯水の色値を測定する。測定完了後、ＬＥＤライトおよび色センサを停止する。
【００３０】
さらに、色を判断する具体的な過程は以下の通りである。ＬＥＤライトが白色測定光を発し、白色測定光はサンプリング装置中の洗濯水に照射される。測定光は洗濯水を通過すると、色が変化する。色センサが洗濯水を通過した測定光を受光し、測定光の色に基づいて、洗濯水の色を得る。
【００３１】
さらに、前記色センサは、洗濯水を通過した後の、色が変化した測定光を、赤緑青の３色の光学フィルタそれぞれを通過させることにより、それぞれ洗濯水中に含まれる赤色の色値Ｒ、緑色の色値Ｇ、青色の色値Ｂを得る。
【００３２】
さらに、洗濯機における衣類の退色を判断する工程は以下の通りである。
１１）一定時間ｔごとに、洗濯水中に含まれる赤色の色値Ｒ、緑色の色値Ｇ、青色の色値Ｂをそれぞれ測定する。さらに各測定値を測定時間の順番により、順にＲ１、Ｒ２…ＲｎおよびＧ１、Ｇ２…Ｇｎ、およびＢ１、Ｂ２…Ｂｎ（ｎは１より大きい正の整数）として保存する。
１２）当該回に測定した色値Ｒｎ、Ｇｎ、Ｂｎから、それぞれ前回に測定した色値Ｒｎ−１、Ｇｎ−１、Ｂｎ−１を引き、ΔＲｎ＝｜Ｒｎ−Ｒｎ−１｜、ΔＧｎ＝｜Ｇｎ−Ｇｎ−１｜、ΔＢｎ＝｜Ｂｎ−Ｂｎ−１｜を得る。
１３）得られた色の変化値ΔＲｎ、ΔＧｎ、ΔＢｎを、それぞれ対応する設定値ΔＲ’、ΔＧ’、ΔＢ’と比較し、
ΔＲｎ＞ΔＲ’および／またはΔＧｎ＞ΔＧ’および／またはΔＢｎ＞ΔＢ’の場合、洗濯機は退色警報信号を発して、洗濯を停止する。そうでない場合、洗濯機は洗濯プログラムを正常に実行する。
【００３３】
さらに、洗濯機における衣類の退色を判断する工程は以下の通りである。
２１）洗濯機の取水過程、または取水が終了して、洗濯する前に、まず洗濯水の色を測定し、洗濯水中に含まれる赤色、緑色、青色の初期色値Ｒ０、Ｇ０、Ｂ０を得る。
２２）洗濯過程で、一定時間ｔごとに、洗濯水中に含まれる赤色の色値Ｒ、緑色の色値Ｇ、青色の色値Ｂをそれぞれ測定する。
２３）当該回に測定した色値Ｒｎ、Ｇｎ、Ｂｎから、それぞれ洗濯前の初期色値Ｒ０、Ｇ０、Ｂ０を引き、ΔＲｎ＝｜Ｒｎ−Ｒ０｜、ΔＧｎ＝｜Ｇｎ−Ｇ０｜、ΔＢｎ＝｜Ｂｎ−Ｂ０｜を得る。
２４）得られた色の変化値ΔＲｎ、ΔＧｎ、ΔＢｎを、それぞれ対応する設定値ΔＲ’、ΔＧ’、ΔＢ’と比較し、
ΔＲｎ＞ΔＲ’および／またはΔＧｎ＞ΔＧ’および／またはΔＢｎ＞ΔＢ’の場合、洗濯機は退色警報信号を発して、洗濯を停止する。そうでない場合、洗濯機は洗濯プログラムを正常に実行する。
【００３４】
さらに、ΔＲｎ＞ΔＲ’の場合、洗濯機は赤色の洗濯衣類が退色する警報信号を発する。ΔＧｎ＞ΔＧ’の場合、洗濯機は緑色の洗濯衣類が退色する警報信号を発する。ΔＢｎ＞ΔＢ’の場合、洗濯機は青色の洗濯衣類が退色する警報信号を発する。
【００３５】
上記方法により、本発明は既存技術、例えば中国特許出願番号第２００７８００２５０２７．４号の発明特許に記載の文献とは異なる別の視点から考慮し、衣類の退色を測定することを実現する。
【００３６】
洗濯機外槽中の洗濯水の色を測定し、洗濯水の色値の変化率と設定との間の関係により、洗濯機中の洗濯衣類が退色しているかどうかを判断する目的を実現する。これにより、退色を事前に警報する精確性を高め、洗濯機の判断ミス、誤報が生じるのを防止する。
【発明の効果】
【００３７】
上記技術案を採用し、本発明を既存技術と比較した利点は次の通りである。
１、洗濯水の色を測定することにより、洗濯水の色の変化状況に基づいて、洗濯衣類が退色しているかどうかを判断する目的を実現する。判断の感度および正確性を高め、退色した衣類が洗濯水を汚染した後、さらにその他の洗濯衣類が二次汚染されるのを防止する。
【００３８】
２、洗濯水の赤、緑、青色の色値の変化状況をそれぞれ測定することにより、退色した衣類の色が得られる。これにより、ユーザは退色した衣類を迅速に判断することができる。
【００３９】
３、当該回の色の測定値および前回の色の測定値間の差、または当該回の色の測定値および初期の色の測定値間の差と、設定との間の比較を判断することにより、衣類が退色しているかどうかを判断する。これにより、洗濯機の退色を防止する事前警報の精確性が上昇する。
【００４０】
４、サンプリング装置の出水口部分に制御装置を設置することにより、サンプリング装置中の洗濯水の一新を制御可能に自動で実現することができ、洗濯水の色の測定における正確性を保証する。
【００４１】
５、本発明の構造は簡単で、方法は簡潔であり、効果は顕著で、幅広い使用に適している。
【図面の簡単な説明】
【００４２】
【図１】図１は、本発明の洗濯機の構造概要図である。
【図２】図２は、本発明の洗濯機の構造概要図である。
【図３】図３は、本発明の図２のサンプリング装置部分を拡大した構造概要図である。
【図４】図４は、本発明の図３におけるＡ−Ａ断面の構造概要図である。
【図５】図５は、本発明の衣類の退色を通知する過程のフローチャートである。
【図６】図６は、本発明の衣類の退色を判断する過程のフローチャートである。
【図７】図７は、本発明のもう１つの実施例における衣類の退色を通知する過程のフローチャートである。
【図８】図８は、本発明のもう１つの実施例における衣類の退色を判断する過程のフローチャートである。
【図９】図９は、本発明における衣類の退色した色を判断する過程のフローチャートである。
【発明を実施するための形態】
【００４３】
以下、実施例を組み合わせて、本発明についてさらに詳細に説明する。
【００４４】
洗濯機は、既存のいずれか１つのドラム式洗濯機またはパルセータ洗濯機でよい。記載を便利にするため、以下はドラム式洗濯機を例とする。前記洗濯機は、筐体１と、筐体１内に取り付けられる外槽２と、外槽２中に取り付けられ、軸線が垂直方向と鋭角を成すか、または重なり合う内槽３とを含む。洗濯機に洗濯水の色を測定する色センサ５を設け、これにより洗濯過程における洗濯水の色の変化に基づき、洗濯衣類が退色しているかどうかを判断する。
【実施例】
【００４５】
実施例１
図１から図２に示すように、本実施例において、外槽２の底部に、外槽２内部と通じ、洗濯水を流入させるサンプリング装置４が設けられる。前記サンプリング装置４は、一定の洗濯水を収容する空洞を構成する筐体４１を含み、筐体４１の上端に外槽２内部と通じる取水口４３が設けられる。筐体４１の下端は、接続管路７を介して洗濯機の排水管または循環管と通じ、これにより筐体４１内の洗濯水を洗濯機から排出するか、または洗濯機の外槽中に再び流入させる。好ましくは、本実施例において、接続管路７は排水管と通じ、接続管路７の一端はサンプリング装置４の出水口４４と通じ、もう一端は排水管に設置される排水ポンプ９の出水口端とつながる。接続管路７に、管路の開閉を制御する制御装置が設けられ、好ましくは、本実施例では、前記制御装置はチェック弁８からなる。
【００４６】
本実施例において、サンプリング装置４の筐体４１の左右側壁に、相対して取り付けるＬＥＤライト６および色センサ５をそれぞれ設ける。ＬＥＤライト６は白色測定光を発し、白色測定光はサンプリング装置４中の洗濯水を通過した後、色センサ５に伝わり、色センサ５は受光した測定光の光色に基づいて、洗濯水の色を得る。
【００４７】
本実施例において、サンプリング装置４の筐体４１は、光を通さない材質で遮光部が構成される。筐体４１におけるＬＥＤライト６および色センサ５とそれぞれ対応する部分は、透光板４２からなる透明部であり、これにより色センサ５が受光した光線の全てが、ＬＥＤライト６が発し、洗濯水を通過した後の測定光であることが保証される。
【００４８】
本実施例において、ＬＥＤライト６の外周に碗状を呈する反射板６１を設けて、ＬＥＤライト６が発する発散白色光を、色センサ５に向かって放射される平行光に反射させる。好ましくは、碗状反射板６１の焦点はＬＥＤライト６の中心と重なり合い、これにより測定光の強度を高め、検査の正確性を保証する。
【００４９】
本実施例において、前記色センサ５と、対応する側の透光板４２との間に、測定光を通過させる凸レンズ５２を設け、サンプリング装置４の洗濯水を通過した平行測定光を集光して色センサ５に照射させ、これにより色センサ５の測定光に対する収集効率を高める。色センサ５の外周に、光を通さない材質からなる遮光カバー５１が設けられる。好ましくは、前記遮光カバー５１は、対応する側の透光板４２と色センサ５を収容する密閉空洞を構成する。
【００５０】
実施例２
図４に示すように、本実施例において、前記色センサ５は、測定素子と、赤緑青の３色をそれぞれ透過させることができる赤フィルタ５３、緑フィルタ５４、青フィルタ５５とを含み、これにより洗濯水中に含まれる赤色の色値Ｒ、緑色の色値Ｇ、青色の色値Ｂが得られる。
【００５１】
各光学フィルタは、いずれも測定素子の測定光における照射の前側に設けられる。赤フィルタ５３、緑フィルタ５４および青フィルタ５５はそれぞれ異なる領域に設けられ、これにより測定素子は透過後の赤色、緑色および青色のみを含有する測定光をそれぞれ受光することができる。好ましくは、本実施例では、測定素子の一側に、上から下に順番に、赤フィルタ５３、緑フィルタ５４および青フィルタ５５が設けられる。これにより、色センサは赤色、緑色および青色のみを含む測定光をそれぞれ受光することができ、洗濯水中に含まれる赤色の色値Ｒ、緑色の色値Ｇ、青色の色値Ｂがそれぞれ得られる。
【００５２】
実施例３
本実施例は、洗濯機における衣類の退色を防止する通知方法を紹介している。つまり、洗濯水の色値を測定し、洗濯水の色値の変化率が設定値より大きいと、衣類の退色警報信号を発する。
【００５３】
図５に示すように、上記方法の具体的工程は以下の通りである。
１）洗濯水の色値の変化率を設定値と比較し、変化率が設定値より小さい場合、工程４）を実行する。変化率が設定値以上の場合、工程２）を実行する。
２）洗濯機がユーザに衣類の退色を通知して、洗濯を停止し、工程３）を実行する。
３）ユーザは洗濯を続けて実行するかどうかを判断し、続ける場合、工程４）を実行する。そうでない場合、工程５）を実行する。
４）洗濯機は洗濯プログラムを続けて実行する。一定時間ｔ後、工程１）を実行し、洗濯プログラムが工程５）を完了するまで続ける。
５）洗濯機は排水、脱水プログラムを順番に実行し、脱水完了後、洗濯機の電源を切る。
【００５４】
本実施例において、洗濯機の洗濯過程で、一定時間ｔごとに１回、洗濯水を測定し、洗濯水の色値を得る。好ましくは、一定時間ｔごとに１回、洗濯機外槽と通じるサンプリング装置中の洗濯水を一新し、サンプリング装置部分に設けられるＬＥＤライトおよび色センサを利用して、一新した後の洗濯水の色値を測定する。さらに好ましくは、一定時間ｔごとに、サンプリング装置の出水口部分の制御装置を一定時間ｔ１作動させて、サンプリング装置中の洗濯水を排出し、外槽中の洗濯水をサンプリング装置の取水口から流入させて、サンプリング装置中の洗濯水を一新する。
【００５５】
図５に示すように、本実施例では、制御装置を停止した後、サンプリング装置部分のＬＥＤライトおよび色センサを作動させ、一新した後の洗濯水の色値を測定する。測定完了後、ＬＥＤライトおよび色センサを停止する。
【００５６】
本実施例において、色を判断する具体的な過程は以下の通りである。ＬＥＤライトが白色測定光を発し、白色測定光はサンプリング装置中の洗濯水に照射される。測定光は洗濯水を通過すると、色が変化する。色センサは洗濯水を通過した測定光を受光し、測定光の色に基づいて、洗濯水の色を得る。
【００５７】
好ましくは、本実施例において、前記色センサは、洗濯水を通過した後の、色が変化した測定光を、赤緑青の３色の光学フィルタそれぞれを通過させることにより、それぞれ洗濯水中に含まれる赤色の色値Ｒ、緑色の色値Ｇ、青色の色値Ｂを得る。
【００５８】
図６に示すように、本実施例において、退色を判断する具体的な工程は以下の通りである。
１１）一定時間ｔごとに、洗濯水中に含まれる赤色の色値Ｒ、緑色の色値Ｇ、青色の色値Ｂをそれぞれ測定する。
１２）当該回に測定した色値Ｒｎ、Ｇｎ、Ｂｎから、それぞれ前回に測定した色値Ｒｎ−１、Ｇｎ−１、Ｂｎ−１を引き、ΔＲｎ＝｜Ｒｎ−Ｒｎ−１｜、ΔＧｎ＝｜Ｇｎ−Ｇｎ−１｜、ΔＢｎ＝｜Ｂｎ−Ｂｎ−１｜を得る。
１３）得られた色の変化値ΔＲｎ、ΔＧｎ、ΔＢｎを、それぞれ対応する設定値ΔＲ’、ΔＧ’、ΔＢ’と比較し、
ΔＲｎ＞ΔＲ’および／またはΔＧｎ＞ΔＧ’および／またはΔＢｎ＞ΔＢ’の場合、洗濯機は退色警報信号を発して、洗濯を停止する。そうでない場合、洗濯機は洗濯プログラムを正常に実行する。
【００５９】
本実施例において、好ましくは、洗濯機で洗濯する前に、洗濯水の色を測定して初期値を得る。初期値を利用し、対応する設定値ΔＲ’、ΔＧ’、ΔＢ’を選定して、洗剤の色または洗濯水自体の色が測定結果に対して判断の誤差となることを防止する。
【００６０】
実施例４
図７および図８に示すように、本実施例において、退色を判断する具体的工程は以下の通りである。
２１）洗濯機の取水過程、または取水が終了し、洗濯する前に、まず洗濯水の色を測定し、洗濯水に含まれる赤色、緑色、青色の初期色値Ｒ０、Ｇ０、Ｂ０を得る。
２２）洗濯過程において、一定時間ｔごとに、洗濯水中に含まれる赤色の色値Ｒ、緑色の色値Ｇ、青色の色値Ｂをそれぞれ測定する。
２３）当該回に測定した色値Ｒｎ、Ｇｎ、Ｂｎから、それぞれ洗濯前の初期色値Ｒ０、Ｇ０、Ｂ０を引き、ΔＲｎ＝｜Ｒｎ−Ｒ０｜、ΔＧｎ＝｜Ｇｎ−Ｇ０｜、ΔＢｎ＝｜Ｂｎ−Ｂ０｜を得る。
２４）得られた色の変化値ΔＲｎ、ΔＧｎ、ΔＢｎを、それぞれ対応する設定値ΔＲ’、ΔＧ’、ΔＢ’と比較し、
ΔＲｎ＞ΔＲ’および／またはΔＧｎ＞ΔＧ’および／またはΔＢｎ＞ΔＢ’の場合、洗濯機は退色警報信号を発して、洗濯を停止する。そうでない場合、洗濯機は洗濯プログラムを正常に実行する。
【００６１】
洗濯水の色の測定値を初期値と直接比較して変化率を得ることにより、洗濯機が様々な色の洗剤および／または洗濯水を使用して洗濯する状況に適応し、測定結果に誤差が生じるのを防止する。
【００６２】
本実施例において、ΔＲｎ＞ΔＲ’の場合、洗濯機は赤色の洗濯衣類が退色する警報信号を発する。ΔＧｎ＞ΔＧ’の場合、洗濯機は緑色の洗濯衣類が退色する警報信号を発する。ΔＢｎ＞ΔＢ’の場合、洗濯機は青色の洗濯衣類が退色する警報信号を発する。
【００６３】
好ましくは、図９に示すように、ΔＲｎ、ΔＧｎおよびΔＢｎの少なくとも２つの値が、同時に、対応する設定値より大きいと、ΔＲｎ、ΔＧｎおよびΔＢｎ間の大きさの関係を判断し、最大値に対応する色の退色警報信号を発する。または、各超過値に対応する色の退色警報信号を同時に発し、ユーザに最大値に対応する色の退色警報情報を示す。
【００６４】
さらに好ましくは、ΔＲｎ、ΔＧｎおよびΔＢｎの少なくとも２つの値が、同時に、対応する設定値より大きいと、ΔＲｎ、ΔＧｎおよびΔＢｎの関係を計算して、対応する衣類の退色する色をユーザに知らせる。
【００６５】
上記実施例の実施案は、さらに組み合わせるか、または置換することができ、また実施例は本発明の好ましい実施例を記載したに過ぎず、本発明の構想および範囲を限定しない。本発明の設計の発想を逸脱しない前提の下、当業者が本発明の技術案に対して行う各種の変更および改良は、いずれも本発明の保護範囲に属する。
【符号の説明】
【００６６】
１  筐体
２  外槽
３  内槽
４  サンプリング装置
５  色センサ
６  ＬＥＤライト
７  接続管路
８  チェック弁
９  排水ポンプ
４１  筐体
４２  透光板
４３  取水口
４４  出水口
５１  遮光カバー
５２  凸レンズ
５３  赤フィルタ
５４  緑フィルタ
５５  青フィルタ
６１  反射板
【図１】
2017527358.tif 000003
【図２】
2017527358.tif 000004
【図３】
2017527358.tif 000005
【図４】
2017527358.tif 000006
【図５】
2017527358.tif 000007
【図６】
2017527358.tif 000008
【図７】
2017527358.tif 000009
【図８】
2017527358.tif 000010
【図９】
2017527358.tif 000011
【国際調査報告】
2017527358.tif 000012
2017527358.tif 000013
2017527358.tif 000014
2017527358.tif 000015